(57)【要約】      （修正有）【課題】筐体の外壁の一部が形成する手掛け縁が一体形成できる形態にて強度および手掛け時の食い込み回避性を満足できる取手部を有したドラム式洗濯機を提供する。【解決手段】筐体４４内に設けられた水槽内の給水、排水及び水槽内の回転ドラムの回転の制御により洗濯、すすぎ、脱水の各工程を少なくとも実施するドラム式洗濯機１において、筐体４４の外壁４４ａの一部に外面側から手指１０２を掛けて筐体４４を持ち上げる手掛け縁１０１ａを有した取手部１０１を備え、この取手部１０１はその外面から外方に立ち上がる補強リブ１０１ｂを有して形成したものとすることにより、上記の目的を達成する。【選択図】図１
2008099802.tif 000002
【特許請求の範囲】
【請求項１】
洗濯物を収容して回転駆動される回転ドラムを内包した水槽が筐体内に設けられ、前記水槽内の給水、排水及び前記回転ドラムの回転の制御により洗濯、すすぎ、脱水の各工程を少なくとも実施するドラム式洗濯機において、
筐体の外壁の一部に外面側から手指を掛けて筐体を持ち上げる手掛け縁を有した取手部を備え、この取手部はその外面から外方に立ち上がる補強リブを有して形成したことを特徴とするドラム式洗濯機。
【請求項２】
洗濯物を収容して回転駆動される回転ドラムを内包した水槽が筐体内に設けられ、前記水槽内の給水、排水及び前記回転ドラムの回転の制御により洗濯、すすぎ、脱水の各工程を少なくとも実施するドラム式洗濯機において、
筐体の外壁の一部に外面側から手指を掛けて筐体を持ち上げる手掛け縁を有した取手部を備え、この取手部はその外面からほぼ側方へ立ち上がる補強リブを有して形成したことを特徴とするドラム式洗濯機。
【請求項３】
洗濯物を収容して回転駆動される回転ドラムを内包した水槽が筐体内に設けられ、前記水槽内の給水、排水及び前記回転ドラムの回転の制御により洗濯、すすぎ、脱水の各工程を少なくとも実施するドラム式洗濯機において、
筐体の外壁の一部に外面側から手指を掛けて筐体を持ち上げる手掛け縁を外面側に張り出して有した取手部を備え、この取手部はその外面からほぼ上方へ立ち上がる補強リブを有して形成したことを特徴とするドラム式洗濯機。
【請求項４】
取手部は、筐体の外壁の一部から外方への膨らみを有して立ち上がり下方に延びた後外方へ向く手掛け縁をなしている請求項１〜３のいずれか１項に記載のドラム式洗濯機。
【請求項５】
取手部は、筐体の外壁の継ぎ合わせ部間に形成している請求項１〜４のいずれか１項に記載のドラム式洗濯機。
【請求項６】
取手部は、筐体の前部の下部左右に設けられて手指を掛け筐体を持ち上げる前部の取手部と対をなして、筐体の背部の上部左右に設けられている請求項１〜５のいずれか１項に記載のドラム式洗濯機。
【請求項７】
筐体の両側面部にも手指を掛けて筐体を持ち上げる側部の取手部が設けられている請求項１〜６のいずれか１項に記載のドラム式洗濯機。
【発明の詳細な説明】
【技術分野】
【０００１】
本発明は、水槽内に回転自在に支持された回転ドラム内で洗濯、すすぎ、脱水等の各工程を行うドラム式洗濯機に関するものである。
【背景技術】
【０００２】
このようなドラム式洗濯機は、図５に示す本発明の実施の形態のドラム式洗濯乾燥機１を参照して説明すると、洗濯物を収容して回転駆動される回転ドラム２が水槽３内に設けられ、一般に、この水槽３内の給水、排水及び前記回転ドラム２の回転の制御により洗濯、すすぎ、脱水の各工程を実施する。さらに図５に示すドラム式洗濯乾燥機は、前記各工程に加え、さらに、送風手段である送風ファン１５により水槽３内の空気を、除湿手段、加熱手段を備えた循環送風経路５を通して循環させることにより洗濯物の乾燥工程を実施する高機能なものになっており（例えば、特許文献１）、本発明はこのような形式のドラム式洗濯機をも含む。
【０００３】
ところで、このようなドラム式洗濯機は水槽とドラムの二重構造から大きくて重い。乾燥機能を有する高機能機はさらに重く、除湿手段としての蒸発器と、加熱手段としての凝縮機と、圧縮機とを冷媒配管で繋いだ空調機を内蔵するものは特に重い。そこで、このようなドラム式洗濯機では運搬したり、設置場所を変えるために移動させたりするのに、筐体に取手部を設けて持ち上げ移動させやすくすることが行われる。しかも、多くの場合取手部は相対向し合ってドラム式洗濯機を持ち上げる作業者２人分が設けられる（特許文献２参照）。特許文献２に記載のものは２人分の取手部を筐体の左右の側面にそれぞれが片手を掛ける取手部を設け、空いた手は筐体の背面上部に後方へ斜め下向きに延びるように設けた舌部の左右部分にそれぞれ掛けて筐体を持ち上げ、運搬しまたは移動できるようにしている。また、作業者が１人の場合でも、両手を背部の舌部に掛けて洗濯機本体を前方へ傾斜させて洗濯機本体の前部を自身の腹部や大腿部に当てて引き上げるなどして移動できるとしている。
【０００４】
しかし、特許文献２に記載の舌部は筐体の背部壁から板状に一体に延びたもので、手掛け部は単純なエッジをなしており、これに手を掛けて筐体を持ち上げるには舌部のエッジ部が手に食い込み作業者に痛みを与える。また、単純に板状に延びた舌部は重い筐体、特に高性能な筐体を持ち上げるのに樹脂製では強度が弱く、金属製とする必要がある。また、金属製でもある程度の厚みがなければ揺れて不安定となり作業しにくい。
【０００５】
これに対応するのに本出願人は、図６に示すように樹脂製の表面板ａに一体形成した下向きの手掛け縁部ｂを持った取手ｃを設けるのに、手掛け縁部ｂを前後壁の二重構造にして安定性を増し、また、ダブルエッジｂ１、ｂ２により手掛け時の食い込みを緩和する技術を先に提案している。そして、このようなダブルエッジｂ１、ｂ２を持った二重構造の手掛け縁部ｂは図６に示すような表面板ａを上下型によって成形して型抜き上問題になることはない。
【特許文献１】特開平８−２４３２９２号公報
【特許文献２】特開平１０−２９５９９８号公報
【発明の開示】
【発明が解決しようとする課題】
【０００６】
しかし、図６に示すようなダブルエッジｂ１、ｂ２を持つ２重構造になった手掛け縁部ｂであっても、エッジｂ１、ｂ２に手指を掛けるために、空調機を内蔵するなどした重いものほど手に食い込み作業者に痛みを与える。
【０００７】
本発明の目的は、筐体の外壁の一部が形成する手掛け縁が一体形成できる形態にて強度および手掛け時の食い込み回避性を満足できる取手部を有したドラム式洗濯機を提供することにある。
【課題を解決するための手段】
【０００８】
上記目的を達成するための本発明は、洗濯物を収容して回転駆動される回転ドラムを内包した水槽が筐体内に設けられ、前記水槽内の給水、排水及び前記回転ドラムの回転の制御により洗濯、すすぎ、脱水の各工程を少なくとも実施するドラム式洗濯機において、筐体の外壁の一部に外面側から手指を掛けて筐体を持ち上げる手掛け縁を有した取手部を備え、この取手部はその外面から外方に立ち上がる補強リブを有して形成したことを基本的な特徴とする。
【０００９】
このような構成によれば、水槽とドラムが二重構造をなして洗濯、すすぎ、脱水の各工程を実施する大きくて重いものとなるドラム式洗濯機や、これに加え除湿手段、加熱手段を備えた循環送風経路を有して乾燥工程を実施するさらに重いいわゆるドラム式洗濯乾燥機、また除湿手段および加熱手段が冷媒配管により圧縮機と接続されて空調機をなす蒸発器、凝縮器である特に重いドラム式洗濯乾燥機などにおいて、筐体の外壁が形成する外面側から手指を掛けて筐体を持ち上げる取手部が、外面から外方に立ち上がる補強リブを有して形成したもので、外壁が樹脂材料よりなるものであっても下向きの手掛け縁を含め補強リブにより筐体の安定な持ち上げに十分な強度を確保して、しかも、補強リブが取手部の外面から外方に立ち上がる関係で取手部の手掛け縁から内側への手掛け域を面形態として手掛けに供し作業者の手への食い込みをなくせる。また、補強リブは取手部の外面から外方に立ち上がっているので、取手部を筐体の外壁に補強リブを有して一体成形するのに取手部を形成する外壁面に対して外方へ型抜きができる。
【００１０】
具体的には、取手部はその外面からほぼ側方へ立ち上がる補強リブを有して形成したことを１つの特徴とする。
【００１１】
このような構成によれば、基本的な特徴に加え、さらに、補強リブが取手部の外面から側方に立ち上がっていることにより、外壁における取手部を有している壁面が向く側方への型抜きが図れる。
【００１２】
また、取手部はその外面からほぼ上方へ立ち上がる補強リブを有して形成したことを別の特徴とする。
【００１３】
このような構成によれば、基本的な特徴に加え、さらに、補強リブが取手部の外面から上方に立ち上がっていることにより、外壁における取手部を有している壁面に沿った上方への型抜きが図れる。
【００１４】
取手部は、筐体の外壁の一部から外方への膨らみを有して立ち上がり下方に延びた後外方へ向く手掛け縁をなしている、さらなる構成によれば、
取手部が外壁からの立ち上がって下方へ延び手掛け縁をなしていることにより、手掛け縁に掛ける手指の内側への回りこみ空間を持った立体形状が外壁への一体形成によって得られるし、手掛け縁が取手部の下方に延びた後外方に向く形状によって非エッジ状の広い面域を確保して掛けた手指への食い込みを回避できる。
【００１５】
取手部は、筐体の外壁の継ぎ合わせ部間に形成している、さらなる構成によれば、
取手部の手掛け縁が筐体の外壁の継ぎ合わせ縁が開放されていることを利用して、しかもその一部であるように容易に一体成形することができる。
【００１６】
取手部は、筐体の前部の下部左右に設けられて手指を掛け筐体を持ち上げる前部の取手部と対をなして、筐体の背部の上部左右に設けられている、さらなる構成によれば、
筐体の背部の上部左右に設けられた取手部を１人の作業者が両手を掛け、筐体の前部の下部左右に設けられた取手部に他の作業者が両手を掛け、両作業者が筐体をその前後において斜めに持ち上げて底重心にて運搬し、また移動させられる。
【００１７】
筐体の両側面部にも手指を掛けて筐体を持ち上げる側部の取手部が設けられている、さらなる構成によれば、
筐体を背部および前部の取手部による前後からの持ち上げに加え、両側面部の取手部によって両側面側からも持ち上げられる。
【発明の効果】
【００１８】
本発明によれば、水槽とドラムが二重構造をなした大きくて重いドラム式洗濯機や乾燥工程をも実施するさらに重いドラム式洗濯乾燥機、乾燥工程に空調機を用いる特に重いドラム式洗濯乾燥機などにおいて、手指を掛けて筐体を持ち上げる取手部が補強リブを有して樹脂製外壁であっても筐体の持ち上げに十分な強度を確保して安定に運搬や移動ができる。たま、補強リブが取手部の外面から外方に立ち上がって手掛け縁から内側への手掛け域を面形態にでき掛けた手指への食い込みをなくして作業者に痛みを与えるのを回避できる。さらに、補強リブは取手部の外面から立ち上がる外方への型抜きを図って外壁に対し難なく一体成形することができる。
【発明を実施するための最良の形態】
【００１９】
以下図１〜図５を参照しながら本発明に係るドラム式洗濯機の実施の形態につき詳細に説明し、本発明の理解に供する。以下の説明は本発明の具体例であって特許請求の範囲の記載を限定するものではない。
【００２０】
本発明の実施形態に係るドラム式洗濯機は、洗濯機能と乾燥機能とを備えた図５に示すようなドラム式洗濯乾燥機１をなしている。しかし、これに限られることはなく本発明は乾燥機能を持たない洗濯機能だけのドラム式洗濯機にも同様に適用して有効である。図５に示すようにドラム式洗濯乾燥機１は、筐体４４内に図示しないサスペンション構造によって水槽３が宙吊り状態に配設され、水槽３内に有底円筒形に形成された回転ドラム２がその軸心方向を水槽３と共に正面側から背面側に向けて下向きに傾斜させて配設されている。しかし、回転ドラム２および水槽３の軸線の向きは水平でも垂直でもよい。水槽３の正面側には回転ドラム２の開口端に通じる衣類出入口１１が形成され、筐体４４の正面側に形成された上向き傾斜面に設けられた開口部を開閉可能に閉じる扉９を開くことにより、前記衣類出入口１１を通じて回転ドラム２内に対して洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯機の作業性の悪さが改善されている。
【００２１】
回転ドラム２には、その周面に水槽３内に通じる多数の透孔８が形成され、内周面の複数位置に攪拌突起（図示せず）が設けられている。この回転ドラム２は水槽３の背面側に取り付けられたモータ７によって正転及び逆転方向に回転駆動される。また、水槽３には、図示しない注水管路及び排水管路が配管接続され、注水弁及び排水弁の制御によって水槽３内への注水及び排水がなされる。
【００２２】
扉９を開いて回転ドラム２内に洗濯物及び洗剤を投入してドラム式洗濯乾燥機１の運転を開始させると、水槽３内には注水管路から所定量の注水がなされ、モータ７により回転ドラム２が回転駆動されて洗濯工程が開始される。回転ドラム２の回転により、回転ドラム２内に収容された洗濯物は回転ドラム２の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。所要の洗濯時間の後、汚れた洗濯液は排水管路から排出され、回転ドラム２を高速回転させる脱水動作により洗濯物に含まれた洗濯液を脱水し、その後、水槽３内に注水管路から注水してすすぎ工程が実施される。このすすぎ工程においても回転ドラム２内に収容された洗濯物は回転ドラム２の回転により攪拌突起により持ち上げられて落下する攪拌動作が繰り返されてすすぎ洗いが実施される。
【００２３】
また、回転ドラム２内に収容した洗濯物を乾燥する機能上、水槽３内の空気を排気して除湿し、加熱した乾燥した空気を再び水槽３内に送風する既述した循環送風経路５が形成されている。この循環送風経路５の途中には図１に示すように蒸発器３１などの除湿手段、凝縮器３２などの加熱手段及び送風手段である送風ファン１５が設けられる。この送風ファン１５を回転駆動することにより、循環送風経路５に空気の流れが発生して洗濯物を収容した回転ドラム２内の空気は透孔８を通じて水槽３から送風ファン１５側への循環空気導入管路１６に排気され、送風ファン１５の上流に位置する蒸発器３１に水分を結露させて除湿することと、凝縮器３２との熱交換により加熱することとで常に乾燥した高温の空気とされる。この乾燥した高温の空気は送風ファン１５から水槽３への送風管路３３に送り出されて水槽３内に送風される。水槽３内に送風された高温の乾燥空気は透孔８を通じて回転ドラム２内に入って衣類などの洗濯物に曝されながら水槽３へと抜け、再度循環空気導入管路１６へと導入され、以上の循環送風経路５での空気の循環の繰り返しにより乾燥工程が実施される。
【００２４】
また、この循環送風経路５を利用した乾燥工程では、循環送風経路５を循環される空気中に主として衣類などの洗濯物から発生する糸くずなどの異物が混じって循環し、蒸発器３１や凝縮器３２の目詰まり、送風ファン１５の回転部への噛み込み、送風ファン１５の内面への堆積といった乾燥工程を実施するのに支障を来しやすく、面倒なメンテナンスを頻繁に行う必要があることから、循環送風経路５の途中に、具体的には蒸発器３１、凝縮器３２、送風ファン１５の上流側、従って、図５に示すような循環空気導入管路１６の途中に、循環空気中の異物を除去するフィルタを収容したフィルタ室３６を設けることが一般的になっている。これによって、洗濯物を乾燥させた後の空気に異物が混入して蒸発器３１側の循環空気導入管路１６側に導入されてきても、フィルタ室３６を通る際に主フィルタ３５によって捕集され、下流側への循環空気に混入することはない。従って、蒸発器３１、凝縮器３２、送風ファン１５の機能が長期に保全される。しかし一方では、フィルタ室３６内の主フィルタ３５には捕集された異物が堆積していき、循環空気の通過抵抗が徐々に増していき、乾燥機能を低下させる問題があるので、主フィルタ３５は既述した特許文献１に記載のように着脱できるように設けられる。
【００２５】
なお、蒸発器３１、凝縮器３２はこれらに冷媒を循環させる冷媒回路で接続した圧縮機３７と共に１つの器体３８に収容した図１に示すような空気調和機３９として取り扱い、この空気調和機３９の導入空気を除湿及び加熱した後に排気する排気口４１側に送風ファン１５の吸気口４２側を相互間の防振構造部を有して結合し一体化している。これにより、圧縮機３７、蒸発器３１、凝縮器３２が器体３８への収納により一纏めになった大量生産向きの機器となった空気調和機３９と送風ファン１５との２つの単独機器の結合で４つの機器、つまり圧縮機３７、蒸発器３１、凝縮器３２、送風ファン１５のそれぞれを循環送風経路５の一部をなして所定の機能を達成する空調・送風ユニット８１として関係付けられる。
【００２６】
ここで、筐体４４を例えば図５に示すように持ち上げる取手部１０１を設けるのに、図１、図２に示す例、図３に示す例のように筐体４４の外壁４４ａの一部に外面側から手指１０２を掛けて筐体４４を持ち上げる手掛け縁１０１ａを有したものとして備え、この取手部１０１はその外面から外方に立ち上がる補強リブ１０１ｂを有して形成している。このようにすると、水槽３と回転ドラム２が二重構造をなして洗濯、すすぎ、脱水の各工程を実施する大きくて重いものとなるドラム式洗濯機や、これに加え除湿手段、加熱手段を備えた循環送風経路５を有して乾燥工程を実施するさらに重いいわゆるドラム式洗濯乾燥機１、また除湿手段および加熱手段が冷媒配管により圧縮機３７と接続されて空調機をなす蒸発器３１、凝縮器３２である特に重い図４、図５に示すようなドラム式洗濯乾燥機１などにおいて、筐体４４の外壁４４ａが形成する外面側から図１、図３に示すように手指１０２を掛けて筐体１５１を持ち上げる取手部１０１が、外面から外方に立ち上がる補強リブ１０１ｂを有して形成したもので、外壁４４ａが樹脂材料よりなるものであっても下向きの手掛け縁１０１ａを含め補強リブ１０１ｂにより筐体４４の安定な持ち上げに十分な強度を確保できる。しかも、補強リブ１０１ｂが取手部１０１の外面から外方に立ち上がる関係で取手部１０１の手掛け縁１０１ａから内側への手掛け域１０１ｃをエッジを形成しない図１、図３に示すような面形態として手掛けに供し作業者の手へのエッジの場合のような食い込みをなくせる。また、補強リブ１０１ｂは取手部１０１の外面から外方に立ち上がっているので、取手部１０１を筐体４４の外壁４４ａに補強リブ１０１ｂを有して一体成形するのに取手部１０１を形成する外壁面に対して外方へ型抜きができる。
【００２７】
この結果、手指１０２を掛けて筐体４４を持ち上げる取手部１０１が補強リブ１０１ｂを有して樹脂製の外壁４４ａであっても重い筐体４４の持ち上げに十分な強度を確保して安定に運搬や移動ができる。たま、補強リブ１０１ｂが取手部１０１の外面から外方に立ち上がって手掛け縁１０１ａから内側への手掛け域１０１ｃをエッジのない面形態にでき掛けた手指１０２への食い込みをなくして作業者に痛みを与えるのを回避できる。さらに、補強リブ１０１ｂは取手部１０１の外面から立ち上がる外方への型抜きを図って外壁４４ａに対し難なく一体成形することができる。
【００２８】
具体的には、図１、図２に示す例では、取手部１０１はその外面からほぼ側方へ立ち上がる補強リブ１０１ｂを有して形成してあり、補強リブ１０１ｂが取手部１０１の外面から側方に立ち上がっていることにより、外壁４４ａにおける取手部１０１を有している壁面が向く側方への型抜きが図れる。また、図３に示す例では、取手部１０１はその外面からほぼ上方へ立ち上がる補強リブ１０１ｂを有して形成してあり、補強リブ１０１ｂが取手部１０１の外面から上方に立ち上がっていることにより、外壁４４ａにおける取手部１０１を有している壁面に沿った上方への型抜きが図れる。なお、補強リブ１０１ｂは、図２、図４に示すように縦横に走る格子状ないしはボックス状に形成するなどして、取手部１０１に対する補強度合を高められるが、前記型抜きを阻害することはない。
【００２９】
図１、図２に示す例、図３に示す例の何れの場合も、取手部１０１は外壁４４ａにおける図４に示すように筐体４４の前面の下部を除く部分と上面を覆うほぼΓ形のカバー壁４４ａ１の短かな背部壁４４ａ２の左右に一体成形している。このような形態のカバー壁４４ａ１は図１、図３に矢印で示すように上下に合わされ、また分離される上下型によって取手部１０１を含め一体成形できるが、図１、図２に示す取手部１０１の外面および補強リブ１０１ｂは、この補強リブ１０１ｂが開放している側方から進入し側方へ型抜きするスライド型によって成形でき、図３に示す取手部１０１の外面および補強リブ１０１ｂは、この補強リブ１０１ｂが開放している上方から進入し上方に型抜きされる上型で成形できるので図１、図２に示す例のような特別な型を必要としない利点がある。なお、図３に示す例の上方に開放した補強リブ１０１ｂでは水などが溜まるので、これを下部へ落す孔１０１ｄを設けてあり、水は溜まらないしごみは溜まりにくくなる。
【００３０】
さらに詳述すると、取手部１０１は図１、図３に示すように、筐体４４の外壁４４ａの一部から外方への膨らみ部１０１ｅを有して立ち上がり下方に延びた後外方へ向く手掛け縁１０１ａをなしている。このように、取手部１０１が外壁４４ａからの立ち上がって下方へ延び手掛け縁１０１ａをなしていることにより、手掛け縁１０１ａに掛ける手指１０２の内側への回りこみ空間１０３を持った立体形状が外壁４４ａ、本実施の形態ではカバー壁４４ａ１の背部壁４４ａ２への一体形成によって得られるし、手掛け縁１０１ａが取手部１０１の下方に延びた後外方に向く形状によって非エッジ状の広い面域となる図１、図３に示すような手掛け域１０１ｃを確保して掛けた手指１０２への食い込みを回避できる。
【００３１】
また、取手部１０１は、筐体４４における外壁４４ａの継ぎ合わせ部、本実施の形態では図１、図４に例示する既述したカバー壁４４ａ１の背部壁４４ａ２と筐体４４の背部の金属ないしは樹脂などとする上部壁４４ａ３との継ぎ合わせ部４４ｂ間における背部壁４４ａ２の側に形成している。これにより、取手部１０１の手掛け縁１０１ａが図４に示すように筐体４４における外壁４４ａの継ぎ合わせ縁４４ａ４が開放縁であることを利用しての一部であるように容易に一体成形することができ、整った外観が得られる。しかも、図１、図２、図４に示すように、継ぎ合わせる上部壁４４ａ３の側に取手部１０１に対応する拡張凹部１０４を形成して取手部１０１への手掛けを容易にすることができるし、この拡張凹部１０４を取手部１０１の内側の必要な範囲まで図１、図２、図４に示すように入り込んで背部壁４４ａ２側と繋いで取手部１０１の内側を閉じ空間とすることができる。もっとも、取手部１０１の内側を閉じ空間としない設計であれば、外壁４４ａの途中部分であっても図１、図３に示すような取手部１０１を一体成形することができ、閉じる場合は内側から塞ぎ板を当てがうなどすればよい。
【００３２】
以上の取手部１０１は図４に示すように、筐体４４の前部の下部左右に設けられて手指１０２を掛け筐体４４を持ち上げる前部の取手部１０５と対をなして設けてあるので、図５に示すように筐体４４の背部の上部左右に設けられた取手部１０１を１人の作業者１０６が両手を掛け、筐体４４の前部の下部左右に設けられた取手部１０５に他の作業者１０７が両手を掛け、両作業者１０６、１０７が筐体４４をその前後において斜めに持ち上げて底重心にて運搬し、また移動させられる。特に、水槽３と回転ドラム２が軸線を水平または傾斜して配置されて衣類出入口１１が筐体４４の前面に開口するタイプの筐体４４では、図４に示すように左右幅よりも前後の奥行き寸法の方が大きくなるので、この寸法の大きくなる筐体４４の前後で作業者１０６、１０７が持ち上げて運搬し、また移動させることで通行幅が小さくなり、狭い場所での取り扱いに便利である。しかも、重心が２人の作業者１０６、１０７のほぼ中間に位置することになるので重量をほぼ均等に分担し合って持ち運べる。
【００３３】
しかし、図４に示すように筐体４４の両側面部にも手指１０２を掛けて筐体４４を持ち上げる側部の取手部１０８を前後に設けておくと、筐体４４の背部および前部の取手部１０１、１０５による前後からの持ち上げに加え、両側面部の取手部１０８によって両側面側からも持ち上げられる。さらに、このような取手部１０８は図４に示すように筐体４４の下半部に設けられることになるが、今１つの取手部１０９を図４に示すように筐体４４の両側部の上部後側に１つずつ設けておくと、それらに１人の作業者が両手を掛け、筐体４４を前方へ傾けて前部を自身の腹部などに当てがって持ち上げ運搬し、また移動させることができる。
【産業上の利用可能性】
【００３４】
本発明は、ドラム式洗濯機における重い筐体を持ち上げる取手部に関する技術であって、強度と手への食い込み防止とを確保して外壁に一体成形できる。
【図面の簡単な説明】
【００３５】
【図１】本発明の実施の形態に係るドラム式洗濯機の筐体の外壁に形成した取手部の１つの例を示す断面図。
【図２】図１の取手部の外観斜視図。
【図３】本発明の実施の形態に係るドラム式洗濯機の筐体の外壁に形成した取手部の別の例を示す断面図。
【図４】図１の取手部を持った本発明の実施の形態に係る洗濯機能および乾燥機能を有したドラム式洗濯乾燥機の筐体を示す外観斜視図。
【図５】図４のドラム式洗濯乾燥機の概略構成と、その持ち上げ例を示す側面図。
【図６】先の提案に係る取手部の断面図。
【符号の説明】
【００３６】
１  ドラム式洗濯乾燥機
２  回転ドラム
３  水槽
５  循環送風経路
７  モータ
８  透孔
１５  送風ファン
１６  循環空気導入管路
３１  蒸発器
３２  凝縮器
３３  送風管路
３６  フィルタ室
３７ 圧縮機
４４  筐体
４４ａ  外壁
４４ａ１  カバー壁
４４ａ２  背部壁
４４ａ３  上部壁
４４ａ４  継ぎ合わせ縁
４４ｂ  継ぎ合わせ部
１０１、１０５、１０８、１０９  取手部
１０１ａ  手掛け縁
１０１ｂ  補強リブ
１０１ｃ  手掛け域
１０１ｅ  膨らみ部
１０２  手指
１０３  回り込み空間
【図１】
2008099802.tif 000003
【図２】
2008099802.tif 000004
【図３】
2008099802.tif 000005
【図４】
2008099802.tif 000006
【図５】
2008099802.tif 000007
【図６】
2008099802.tif 000008